(57)【要約】【課題】旧紙幣と新紙幣の分別のための手間があまりかからず、効率のよい分別回収を可能にする。【解決手段】紙幣収納庫上の一時集積部から手操作による紙幣の抜き取りを可能とし、入力部で紙幣の回収が選択されたとき、前記紙幣入出金機の紙幣収納庫の下部からから紙幣を繰り出して前記鑑別部に送り、鑑別部で鑑別された旧紙幣と新紙幣の一方の紙幣をその繰り出しを行った紙幣収納庫上の一時集積部に集積すると共に、他方の紙幣を別の損券収納庫上の一時集積部に集積して、少なくとも損券収納庫上の一時集積部に集積された紙幣を手操作で抜き取らせるようにした。【選択図】        図１
2007087314.tif 000002
【特許請求の範囲】
【請求項１】
取引選択の操作等を行う入力部と、
旧紙幣及び新紙幣を混在させて収納した少なくとも２つの紙幣収納庫、各紙幣収納庫上にそれぞれ設けられた一時集積部、及び前記紙幣収納庫の下部から繰り出された紙幣を鑑別する鑑別部を有する紙幣入出金機とを備えた現金処理装置において、
前記一時集積部から手操作による紙幣の抜き取りを可能とし
前記入力部で紙幣の回収が選択されたとき、前記紙幣入出金機の紙幣収納庫の下部からから紙幣を繰り出して前記鑑別部に送り、鑑別部で鑑別された旧紙幣と新紙幣の一方の紙幣をその繰り出しを行った紙幣収納庫上の一時集積部に集積すると共に、他方の紙幣を別の紙幣収納庫上の一時集積部に集積して、少なくとも前記別の紙幣収納庫上の一時集積部に集積された紙幣を手操作で抜き取らせるようにしたことを特徴とする現金処理装置。
【請求項２】
請求項１に記載の現金処理装置において、
前記紙幣収納庫の１つは出金に用いない損券の紙幣を収納する損券収納庫としたことを特徴とする現金処理装置。
【請求項３】
請求項１に記載の現金処理装置において、
前記紙幣収納庫は金種別に紙幣を収納する紙幣収納庫としたことを特徴とする現金処理装置。
【請求項４】
取引選択の操作等を行う入力部と、
旧紙幣及び新紙幣を混在させて収納した出金用の紙幣収納庫、この紙幣収納庫上に設けられた一時集積部、及び前記紙幣収納庫の下部から繰り出された紙幣を鑑別する鑑別部を有する紙幣入出金機と、
該紙幣入出金機から送られてくる紙幣を施封して小束にする施封部、及び小束出金口を有する施封小束支払機とを備えた現金処理装置において、
前記入力部で紙幣の回収が選択されたとき、前記紙幣入出金機の紙幣収納庫の下部からから紙幣を繰り出して前記鑑別部に送り、鑑別部で鑑別された旧紙幣と新紙幣の少なくとも一方の紙幣を紙幣を前記施封小束支払機に搬送し、前記施封部で小束に施封した後、小束出金口に搬送して放出することを特徴とする現金処理装置。
【請求項５】
請求項４に記載の現金処理装置において、
前記鑑別部で鑑別された旧紙幣と新紙幣の他方の紙幣を前記紙幣収納庫上の一時集積部に集積することを特徴とする現金処理装置。
【請求項６】
請求項５に記載の現金処理装置において、
前記一時集積部の紙幣を手操作により抜き取り可能としたことを特徴とする現金処理装置。
【請求項７】
請求項４に記載の現金処理装置において、
前記施封小束支払機の複数の集積部を設け、
前記鑑別部で鑑別された旧紙幣と新紙幣を前記施封小束支払機に搬送して前記複数の集積部に別々に集積し、それぞれ一定枚数集積する毎に前記施封部で小束に施封した後、小束出金口に搬送して放出することを特徴とする現金処理装置。
【発明の詳細な説明】
【技術分野】
【０００１】
本発明は、金融機関で用いられる現金処理装置に関するもので、特に紙幣入出金機及び施封小束支払機等を備えた現金処理装置に関するものである。
【背景技術】
【０００２】
金融機関の店舗にはオペレータが操作して紙幣や硬貨の各種の処理を行う出納機と呼ばれる現金処理装置が設置されている。
この種の現金処理装置は、一般にオペレータの操作により紙幣の入出金処理を行う紙幣入出金機と、一定枚数の紙幣を施封して小束を作成し、必要に応じてオペレータに放出する施封小束支払機等を備えているが、施封小束支払機をより有効に利用するために、紙幣入出金機から施封小束支払機に紙幣を搬送路により一枚ずつ搬送して集積し、一定枚数集積されると、その紙幣を施封部で施封して小束として放出できるようにしたものが提案されている（例えば、特許文献１参照）。
【特許文献１】特開２００４−５４６０３（段落「００１６」、「００４２」、図１〜図３）
【発明の開示】
【発明が解決しようとする課題】
【０００３】
しかしながら、上述した従来の技術においては、以下の問題がある。
すなわち、２００４年１１月に新しいデザインの万円、五千円、千円円の３金種の紙幣（以下新紙幣という）が発行され、上述した現金処理装置でもこれらの新紙幣がそれまでの旧デザインの紙幣（以下旧紙幣という）と共に取扱えるように改良されているが、装置を大型化しないようにするため等の配慮から、現金処理装置の紙幣入出金機では入金取引により入金される旧紙幣を新紙幣と混在させて紙幣収納部に収納するようにしている。
【０００４】
そのため、紙幣の回収時には新紙幣と旧紙幣を混在した状態で回収することになり、この回収した紙幣を旧紙幣と新紙幣に分けるには、手作業あるいは別の装置へ運んで分別しなければならず、手間がかかるという問題がある。
本発明は、このような問題を解決することを課題とする。
【課題を解決するための手段】
【０００５】
そのため、本発明は、取引選択の操作等を行う入力部と、旧紙幣及び新紙幣を混在させて収納した少なくとも２つの紙幣収納庫、この２つの紙幣収納庫上にそれぞれ設けられた一時集積部、及び前記紙幣収納庫の下部から繰り出された紙幣を鑑別する鑑別部を有する紙幣入出金機とを備えた現金処理装置において、前記一時集積部から手操作による紙幣の抜き取りを可能とし、前記入力部で紙幣の回収が選択されたとき、前記紙幣入出金機の紙幣収納庫の下部からから紙幣を繰り出して前記鑑別部に送り、鑑別部で鑑別された旧紙幣と新紙幣の一方の紙幣をその繰り出しを行った紙幣収納庫上の一時集積部に集積すると共に、他方の紙幣を別の紙幣収納庫上の一時集積部に集積して、少なくとも前記別の紙幣収納庫上の一時集積部に集積された紙幣を手操作で抜き取らせるようにしたことを特徴とする。
【発明の効果】
【０００６】
このようにした本発明は、旧紙幣と新紙幣が混在して収納している紙幣収納庫から旧紙幣または新紙幣の少なくとも一方のみを回収できるので、手作業や他の装置によらず、旧紙幣と新紙幣とを分別することができ、分別のための手間があまりかからず、効率のよい分別回収が可能になるという効果が得られる。
【発明を実施するための最良の形態】
【０００７】
以下、図面を参照して本発明による現金処理装置の実施例を説明する。
【実施例】
【０００８】
図１〜図３は第１の実施例を示す旧紙幣回収動作時のフローチャート、図４は本発明による現金処理装置の構成を示すブロック図、図５は本発明における主要現金処理ユニットの内部構成を示す概略側面図である。
まず、図４に示す現金処理装置の構成について説明すると、この現金処理装置は、金融機関の店舗内に設置され、金融機関のオペレータが操作して入出金等の取引を行うもので、紙幣入出金機１、紙幣補充回収機２、施封小束支払機３、及び図示しない新券紙幣支払機、棒金支払機、硬貨入出金機等の各現金処理ユニットと、キーボード等による入力部４、ＣＲＴやＬＣＤ等による表示部５、プリンタ６、第１の記憶部７、第２の記憶部８、通信部９、制御部１０等によって構成されている。
【０００９】
ここで、紙幣入出金機１、紙幣補充回収機２、施封小束支払機３は、それぞれ独立した現金処理ユニットとして構成され、互いに隣接するように横一列に配置されるもので、  その配列順序は任意であるが、ここでは、図５に示したように例えば紙幣補充回収機２を間に挟んでその左右に紙幣入出金機１と施封小束支払機３を配置したものとする。
入力部４はオペレータが現金処理装置を使用する際、入金、出金、回収、施封等の取引の選択や、金種の指定、選択された取引の処理に必要な情報等の入力操作を行うもので、キーボードやポインティングデバイス等が用いられ、また表示部５はオペレータに対する操作誘導表示や、入力部４から入力された情報を表示するもので、ＬＣＤ（液晶表示装置）等が用いられる。
【００１０】
プリンタ６は制御部１０の指示により当該装置で処理した内容等を必要に応じて用紙に印字し、出力する。
第１の記憶部７は制御プログラム（ソフトウエア）や各取引において表示部に表示する画面の情報等を格納したメモリ、第２の記憶部８は入力部から入力された情報や通信部を介して他の装置から受信した情報等を記憶するメモリで、制御部１０は第１の記憶部７に格納された制御プログラムに基づいて前記各現金処理ユニットの動作を制御すると共に画面情報に基づいて必要な画面を表示部５に表示するものとなっている。
【００１１】
この制御部１０は、各現金処理ユニットの収納庫等に収納されている現金の在高を金種別に記憶する現金在高カウンタ（在高記憶部）１０ａと、紙幣入出金機１等の紙幣収納庫から繰り出した紙幣を金種別に記憶する繰出枚数カウンタ（繰出枚数記憶部）１０ｂを有している。
通信部９は、店舗内に構築されるＬＡＮなどのネットワークに接続されており、制御部１０はこの通信部９を介して図示しない窓口端末や顧客操作用のＡＴＭと情報の通信を行うものとなっている。
【００１２】
次に、図５により紙幣入出金機１と紙幣補充回収機２と施封小束支払機３の構成について説明する。
紙幣入出金機１は、入金取引時等に紙幣を投入する入金口２１、この入金口２１に投入された紙幣の真偽，金種，表裏，正損等を鑑別及び真券紙幣の計数等を行う第１の鑑別部２２、この第１の鑑別部２２で金種不明等のリジェクト券と鑑別された紙幣を返却する入金リジェクト口（以下、入金ＲＪ口）２３、紙幣を収納する紙幣収納庫２４ａ〜２４ｄ、各紙幣収納庫２４ａ〜２４ｄ上に設けられた一時集積部２５ａ〜２５ｄ、出金取引時や紙幣回収時等に各紙幣収納庫２４ａ〜２４ｃの下部から繰り出された紙幣の真偽，金種，表裏，正損等を鑑別及び真券紙幣の計数等を行う第２の鑑別部２６、この第２の鑑別部２６で金種不明等のリジェクト券と鑑別された紙幣を収納する出金リジェクト収納庫（以下、出金ＲＪ庫）２７、第２の鑑別部２６で正常と鑑別された紙幣を集積して出金する出金口２８、これらの間で紙幣を搬送する搬送路２９を備えており、また、この紙幣入出金機１には正面等に図示しない扉が設けられていて、オペレータがその扉を開いて一時集積部２５ａ〜２５ｄに集積された紙幣や出金ＲＪ庫２７内の紙幣を手操作で抜き取ることができるようになっている。
【００１３】
また、前記紙幣収納庫２４ａ〜２４ｄのうち、紙幣収納庫２４ａは新旧デザインの万円紙幣を、また、紙幣収納庫２４ｂは新旧デザインの五千円紙幣を、紙幣収納庫２４ｃは新旧デザインの千円紙幣をそれぞれ混在させて収納する出金用の金種別の紙幣収納庫とし、紙幣収納庫２４ｄは入金取引時等に第１の鑑別部２２で真券ではあるが出金に利用しない損券と鑑別された紙幣を収納する損券収納庫としている。
【００１４】
尚、紙幣収納庫２４ａ〜２４ｃと収納紙幣の金種の組み合わせはこれに限られるものではない。
一方、紙幣補充回収機２は、着脱可能な補充回収カセット３１、補充回収カセット３１上に設けられた一時集積部３２、補充回収カセット３１の上部から繰り出された紙幣の真偽，金種，表裏，正損等を鑑別及び真券紙幣の計数等を行う鑑別部３３、補充回収カセット３１の上部と鑑別部３３及び鑑別部３３と補充回収カセット３１の下部を結んでこれらの間で紙幣を搬送する搬送路３４を備えており、補充回収カセット３１から紙幣を繰り出して自動計数する機能、及び紙幣入出金機１等から送られてくる補充用の紙幣を補充回収カセット３１に収納する機能を有している。
【００１５】
また、施封小束支払機３は金種別に紙幣を集積する複数（図では２つ）の集積部４１、紙幣入出金機１等からの紙幣を各集積部４１に搬送する搬送路４２、各集積部４１に集積された一定枚数（例えば１００枚）の紙幣を紙等の帯で施封して小束を作成する施封部４３、施封部４３で作成された小束を小束出金口４５に搬送する小束搬送路４４等を備えている。
【００１６】
尚、この施封小束支払機３も、正面等に図示しない扉を備えており、オペレータがその扉を開いて集積部４１に集積された紙幣を手操作で抜き取ることができるようになっている。
前記集積部４１の数は図では２つであるが、これに限られるものではなく、３個以上と設けるものとしてもよい。
【００１７】
これら紙幣入出金機１、紙幣補充回収機２、及び施封小束支払機３は前述の特許文献１に示される回転搬送路と接続用搬送路からなる紙幣搬送手段を備えており、この紙幣搬送手段によって紙幣入出金機１と紙幣補充回収機２と施封小束支払機３の間で紙幣を１枚ずつ搬送して互いに授受できるようになっている。
尚、本発明において紙幣補充回収機２は特に重要なものではなく、紙幣入出金機１と施封小束支払機３を隣接させて配置し、紙幣入出金機１から直接施封小束支払機３へ紙幣を１枚ずつ搬送できるような構成としてもよい。
【００１８】
上述した構成による紙幣処理装置の第１の実施例として旧紙幣の回収処理について、図１〜図３のフローチャートと共に、図４〜図６を参照して説明する説明する。
図６は旧紙幣回収時の紙幣の流れを示す説明図である。
尚、以下の説明は、図１及び図２のフローチャートにＳで示したステップに従って行う。
【００１９】
現金処理装置が使用されていない空き時間に、表示部５には取引のメニュー画面が表示されている。
本実施例では、特に紙幣入出金機１の空き時間にオペレータが入力部４を操作してメニュー画面に表示されている旧紙幣の回収を選択すると、制御部１０は旧紙幣の回収画面を表示部５に表示する（Ｓ１）。
【００２０】
図７はこのときの旧紙幣の回収画面例を示す図で、旧紙幣回収する旨等のメッセージと共に、全金種を一括して指定するキーや、金種毎に指定するキー、回収枚数、回収金額を表示するエリアＡ、動作開始を指定するキーＢ、回収完了を指定するキーＣ等と共に表示されている
この旧紙幣の回収画面を見てオペレータが入力部４を操作して回収を行う旧紙幣の金種を指定する（Ｓ２）。この場合、金種の指定は任意であるが、ここでは金種毎のキーを押下することで「万」と「千」を指定したものとする。
【００２１】
この金種指定後、動作開始を指示するためにオペレータが入力部４を操作して動作開始キーＢを押下すると（Ｓ３）、これを受けて制御部１０は紙幣入出金機１に回収動作の開始を指示し、これにより紙幣入出金機１は万円紙幣用の紙幣収納庫２４ａの下部から図示しない繰り出し手段により紙幣を１枚ずつ繰り出す（Ｓ４）。
繰り出された紙幣は図示しないセンサにより検知され、その検知信号により制御部１０は万円紙幣用の繰出枚数カウンタ１０ｂで紙幣の繰出枚数をカウントする。この繰出枚数カウンタ１０ｂの値は予め「０」にクリアされており、紙幣が繰り出される毎に値を「１」ずつ加算して行く。
【００２２】
また、繰り出された紙幣は搬送路２９により第２の鑑別部２６に搬送して金種、正損等の鑑別を行う（Ｓ５）。
その結果、万円の正券で新紙幣ならば計数後、万円紙幣用の紙幣収納庫２４ａ上部にある該当金種の一時集積部２５ａへ搬送路２９により搬送して集積する（Ｓ６）。
また、鑑別した紙幣が万円の正券で旧紙幣ならば計数後、損券収納庫２４ｄの上部にある一時集積部２５ｄへ搬送路２９により搬送して集積する（Ｓ７）と共に前記図７に示した紙幣回収画面のエリアＡに金種別の回収枚数、金種別の回収金額、合計金額を表示する。
【００２３】
更に、鑑別した紙幣が繰り出し失敗等に起因する重ね送りや異金種などの場合は、リジェクト券として搬送路２９により出金ＲＪ庫２７へ搬送して収納する（Ｓ８）。
制御部１０は前記のように一時集積部２５ａに万円の新紙幣を集積したとき、この一時集積部２５ａに設けられている図示しないフル検知センサの出力に基づいて一時集積部２５ａフル（満杯）になったか否かを判断し（Ｓ９）、フルの場合は一旦紙幣の繰り出し動作を停止して（Ｓ１０）、一時集積部２５ａの紙幣を紙幣収納庫２４ａに収納した後（Ｓ１１）、繰り出し動作を再開する（Ｓ１２）。
【００２４】
また、制御部１０は前記のように損券用の一時集積部２５ｄに万円の旧紙幣を集積したとき、この一時集積部２５ｄに設けられている図示しないフル検知センサの出力に基づいて一時集積部２５ｄがフル（満杯）になったか否かを判断し（Ｓ１３）、フルの場合は一旦紙幣の繰り出し動作を停止して（Ｓ１４）、一時集積部２５ｄから万円の旧紙幣を抜き取って回収するように促す画面を表示部５に表示したり、音声で回収を誘導する処理を行う（Ｓ１５）。
【００２５】
これによりオペレータが前記の図示しない扉を開いて一時集積部２５ｄから万円の旧紙幣を手で抜き取って回収し、その後、入力部４で万円の旧紙幣の回収を終了した旨の入力を行うと、制御部１０は紙幣の繰り出し動作を再開させる（Ｓ１６）。
尚、このとき表示部５には、再び旧紙幣の回収画面を表示する。
更に、制御部１０は前記のように出金ＲＪ庫２７にリジェクト券を収納したとき、出金ＲＪ庫２７に設けられている図示しないフル検知センサの出力に基づいて出金ＲＪ庫２７がフル（満杯）になったか否かを判断し（Ｓ１７）、フルの場合は一旦紙幣の繰り出し動作を停止して（Ｓ１８）、出金ＲＪ庫２７からリジェクト券を回収するように促す画面を表示部５に表示したり、音声で回収を誘導する処理を行う（Ｓ１９）。
【００２６】
これによりオペレータが図示しない扉を開いて出金ＲＪ庫２７からリジェクト券を回収し、その後、入力部４をリジェクト券の回収を終了した旨の入力を行うと、制御部１０は紙幣の繰り出し動作を再開させる（Ｓ２０）。
この場合も表示部５に旧紙幣の回収画面を再び表示する。
尚、上記フルの判定（Ｓ７、Ｓ１３、Ｓ１７）は、フル検知センサによらず、各々予め決められた枚数に達したことを計数したときとしてもよい。
【００２７】
次に制御部１０は、紙幣収納庫２４ａ内の紙幣がエンドになったか否かを、紙幣収納庫２４ａに設けられている図示しないエンド検知センサの出力に基づいて判断し、また万円紙幣用の繰出枚数カウンタ１０ｂの値による金額が万円紙幣用の現金在高カウンタ１０ａの値以上になったか否かを判断して（Ｓ２１）、エンドではなく、万円紙幣用の繰出枚数カウンタ１０ｂの値による金額が万円券用の現金在高カウンタ１０ａの値以上でもない場合、Ｓ４からの処理を繰り返す。
【００２８】
エンドまたは万円紙幣用の繰出枚数カウンタ１０ｂの値による金額が万円紙幣用の現金在高カウンタ１０ａの値以上になった場合は、紙幣収納庫２４ａ内からの紙幣の繰り出しを停止し、このとき一時集積部２５ａに紙幣が集積されていれば、その紙幣を紙幣収納庫２４ａに収納する（Ｓ２２）。
続いて、制御部１０は別の金種の指定があるか否かを判断する（Ｓ２３）。
【００２９】
本実施例では前記のように回収する旧紙幣の金種として千円が指定されているので、Ｓ４に戻り繰り出し対象を千円紙幣用の紙幣収納庫２４ｃに変更して、前記万円紙幣の場合と同様に千円の旧紙幣を回収する。
尚、千円の旧紙幣を回収する前に損券用の一時集積部２５ｄに端数の万円紙幣の旧券が集積されている場合、その紙幣を抜き取らせるようにしてもよい。
【００３０】
そして、指定したすべての金種における旧紙幣の繰り出し、計数が終了すると、制御部１０は前記旧券の回収画面に回収結果を確認して完了キーを押下するように促すメッセージを表示し（Ｓ２４）、このとき損券用の一時集積部２５ｄに旧紙幣が集積されている場合、一時集積部２５ｄから旧紙幣を抜き取って回収するように促す画面を表示部５に表示したり、音声で回収を誘導する処理を行う（Ｓ２５）。
【００３１】
これによりオペレータは図示しない扉を開いて一時集積部２５ｄから旧紙幣を手で抜き取り、損券回収画面のエリアＡに表示されている回収枚数、回収金額を確認した後、入力部４を操作して前記旧紙幣の回収画面の完了キーＣを押下する（Ｓ２６）。
尚、途中でリジェクト券を抜き取った場合（例えば、Ｓ８，Ｓ１７〜Ｓ２０の処理が実行された場合）、オペレータはそのリジェクト券の処理を行う。この処理としては抜き取ったリジェクト券を手で計数して回収するか、または金種別に分けて紙幣収納庫２４ａ〜２４ｄ内に戻す等のことを行う。
【００３２】
制御部１０はカウンタ登算を行う（Ｓ２７）。すなわち、今回の回収処理によりオペレータに回収させた旧紙幣の金種別の金額を該当金種の現金在高カウンタ１０の値から減算し、減算した値を現金在高カウンタ１０の値として更新する。
続いて制御部１０は、オペレータに回収させた旧紙幣の明細をプリンタ６により伝票に印字させ、オペレータに放出することで旧券紙幣の回収処理を終了し、表示部５に取引のメニュー画面を表示する。
【００３３】
尚、上記の説明では万円と千円の金種を対象として旧紙幣の回収を行う例を説明したが、五千円紙幣についても同様に旧紙幣を回収することが可能であり、また紙幣収納庫２４ａ〜２４ｃ内のすべての旧紙幣を回収するのではなく、枚数を指定して、その指定枚数分の紙幣を回収することも可能である。
また、上記の説明では旧紙幣の回収を行う例を説明したが、新紙幣のみを回収する場合も同様に回収可能である。
【００３４】
以上説明したように、第１の実施例では、旧紙幣と新紙幣が混在して収納している紙幣収納庫から旧紙幣（または新紙幣）のみを回収できるので、手作業や他の装置によらず、旧紙幣と新紙幣とを分別することができ、分別のための手間があまりかからず、効率のよい分別回収が可能になるという効果が得られる。
尚、上述した実施例において、旧紙幣と新紙幣は異なる一時集積部に集積されるので、各々一定枚数集積される毎に、一時集積部から抜き取るようにすれば旧紙幣と新紙幣を同時に分別して回収することができる。
【００３５】
次に第２の実施例について説明する。
この第２の実施例は現金処理ユニットとして紙幣入出金機１と施封小束支払機３を用いて現金処理装置の空き時間に旧紙幣の回収処理を行うものである。
尚、図５にて説明したように紙幣入出金機１と施封小束支払機３の間に補充回収機２が存在するので、以下の説明では紙幣が補充回収機２を通過するものとするが、前記のように補充回収機２は発明の必須の構成ではない。
【００３６】
図８〜図１０は第２の実施例を示す旧紙幣回収動作時のフローチャート、図１１は旧紙幣回収時の紙幣の流れを示す紙幣入出金機１と補充回収機２と施封小束支払機３の概略側面図であり、以下に第２の実施例を図８〜図１０のフローチャートと共に、図４及び図１１を参照して説明する説明する。
尚、以下の説明は、図８〜図１０のフローチャートにＳで示したステップに従って行う。
【００３７】
まず、図１２に示したＳ１で旧紙幣回収画面が表示されるが、この旧紙幣回収画面には第１の実施例で説明した旧紙幣を回収する旨等のメッセージに代えて、旧紙幣を施封小束支払機３で施封して排出する旨のメッセージが表示される。
この画面で金種の指定が第１の実施例と同様に行われると、続いてＳ２からＳ６まで第１の実施例と同様の処理が行われる。
【００３８】
Ｓ５で鑑別した紙幣が万円の旧紙幣の場合、回転搬送路及び接続用搬送路により紙幣補充回収機２の搬送路を経由させて施封小束支払機３へ搬送し（Ｓ７ｂ）、この施封小束支払機３内の搬送路により集積部４１に送って集積すると共に、表示部５の旧紙幣回収画面のエリアＡに金種別の回収枚数、金種別の回収金額、合計金額を表示する。
次に、Ｓ８からＳ１２までの処理はこの実施例でも第１の実施例と同様に行われる。
【００３９】
制御部１０は前記のように施封小束支払機３の集積部４１に万円の旧紙幣を集積したとき、集積部４１に搬送された紙幣が一定枚数（例えば１００枚）になったか否かを判断し（Ｓ１３ｂ）、一定枚数になった場合は万円の旧紙幣の搬送先を複数ある他の集積部４１に変更する（Ｓ１４ｂ）。
そして、集積部４１に集積されている一定枚数の万円の旧紙幣を施封部４３に送って施封し（Ｓ１５ｂ）、施封された旧紙幣の小束を図１１に示したように小束搬送路４４により小束出金口４５に搬送してオペレータに放出する（Ｓ１６ｂ）。
【００４０】
その後、Ｓ１７からＳ２４まで第１の実施例と同様に処理が行われた後、集積部４１に端数の損券が集積されていれば、その損券を集積部４１から抜き取るよう促す画面を表示部５に表示したり、音声で抜き取りを誘導する（Ｓ２５ｂ）。
これによりオペレータが図示しない扉を開いて集積部４１に集積されている端数の損券を手で抜き取った後、Ｓ２６からＳ２８まで第１の実施例と同様に処理が行われて処理終了となる。
【００４１】
尚、この実施例においても万円紙幣及び千円紙幣と同様に五千円紙幣の旧紙幣を回収することが可能であり、また枚数を指定して、その指定枚数分の紙幣を回収することも可能である他、第１の実施例と同様に新紙幣のみを回収することも可能である。
以上説明した第２の実施例でも、旧紙幣と新紙幣が混在して収納している紙幣収納庫から旧紙幣（または新紙幣）のみを回収できるので、手作業や他の装置によらず、旧紙幣と新紙幣とを分別することができ、分別のための手間があまりかからず、効率のよい分別が可能になるという効果が得られる。
【００４２】
また、この第２の実施例では、回収紙幣を施封小束支払機で施封し、小束にしてオペレータに放出するため、回収した紙幣の取り扱いが容易になるという利点がある。
尚、この第２の実施例において、Ｓ９で紙幣収納庫上の一時集積部がフルになったとき、一時集積部の紙幣を抜き取るようにすれば、旧紙幣と新紙幣を分別して同時に回収することが可能となる。
【００４３】
以上本発明の実施例について説明したが、本発明は上述した第１及び第２の実施例に限られるものではなく、種々の変更が可能である。
例えば、上述した第１の実施例では回収する旧紙幣（または新紙幣）を集積する場所として、損券収納庫２４ｄ上の一時集積部２５ｄを利用するものとしたが、紙幣入出金機１として損券収納庫２４ｄ及びその一時集積部２５ｄを省略し、入金取引時に紙幣収納庫２４ａ〜２４ｃにそれぞれ該当金種の損券も収納するようにした機種の場合は、以下のようにしてもよい。
【００４４】
すなわち、万円の旧紙幣（または新紙幣）を回収するとき、紙幣収納庫２４ａから繰り出されて第２の鑑別部２６で万円の旧紙幣で正券と鑑別された紙幣は他の金種用の一時集積部２５ｂや２５ｃに集積し、万円の新紙幣と正券と鑑別された紙幣及び新紙幣と旧紙幣の損券は一時集積部２５ａに集積する。このようにして旧紙幣と新紙幣及び損券を分別して集積する以外は第１の実施例と同様の手順を実行する。五千円や千円の旧紙幣（または新紙幣）を回収するときも、同様に他の金種用の一時集積部を利用する。
【００４５】
このようにすることで、第１の実施例と同様に旧紙幣と新紙幣を分別して回収することが可能となる。
このような回収手順は、紙幣収納庫及び一時集積部を２個として２金種で運用を行う機種にも適用可能であることは無論である。
また、上述した第２の実施例では、回収する紙幣は旧紙幣（または新紙幣）のみとし、一定枚数毎に施封小束支払機３により小束に施封して放出するものとしたが、施封小束支払機３の集積部４１の数を例えば４つ設けることで、紙幣入出金機１の紙幣収納庫２４ａ〜２４ｃから繰り出されて第２の鑑別部２６で鑑別された旧紙幣と新紙幣を異なる集積部４１に別々に集積し、一定枚数集積する毎に施封部４３に送って施封し、その施封された紙幣の小束を小束搬送路４４により小束出金口４５に搬送してオペレータに放出することも可能であり、このようにすれば旧紙幣と新紙幣を同時に回収することが可能となる。
【００４６】
また、上述した第２の実施例において、紙幣入出金機１が損券収納庫２４ｄ及びその一時集積部２５ｄを省略し、紙幣収納庫２４ａ〜２４ｃにそれぞれ該当金種の損券も収納するようにした機種の場合は、以下のようにしてもよい。
すなわち、紙幣収納庫から繰り出されて第２の鑑別部２６で旧紙幣（または新紙幣）と鑑別された紙幣は損券も含めて施封小束支払機３に搬送して集積部４１に集積すると共に、新紙幣（または旧紙幣）と鑑別された紙幣は損券も含めて、繰り出しを行った紙幣収納庫上の一時集積部に集積する。このようにして旧紙幣と新紙幣を分別して集積する以外は第１の実施例と同様の手順を実行する。
【００４７】
このようにすることで、旧紙幣（または新紙幣）を損券ごと回収することが可能となり、この場合も小束にしてオペレータに放出するため、回収した紙幣の取り扱いが容易になるという利点がある。
更に、紙幣入出金機１が損券収納庫２４ｄ及びその一時集積部２５ｄを省略し、紙幣収納庫２４ａ〜２４ｃにそれぞれ該当金種の損券も収納するようにした機種で、施封小束支払機３は集積部４１の数を例えば４つ設けるものとした場合は、紙幣入出金機１の第２の鑑別部２６で鑑別された正券の旧紙幣と新紙幣を異なる集積部４１に別々に集積すると共に、損券と鑑別された紙幣は繰り出しを行った紙幣収納庫上の一時集積部に集積し、集積部４１に集積された一定枚数に達する毎に施封部４３に送って施封し、その施封された紙幣の小束を搬送路４２により小束出金口４５に搬送してオペレータに放出することも可能である。
【００４８】
このようにすることで旧紙幣と新紙幣を同時に回収することが可能となり、この場合も小束にしてオペレータに放出するため、回収した紙幣の取り扱いが容易になるという利点がある。
無論、集積部４１の数を更に増加させることで、旧紙幣と新紙幣と損券と分別して同時に回収することも可能であり、更に、複数金種の旧紙幣、または複数金種の新紙幣または複数金種の損券を分別して同時に回収することも可能である。
【００４９】
また、施封小束支払機３の施封部４３を複数も受けて、旧紙幣と新紙幣あるいは損券を各施封部で個別に施封して小束にすることも可能であり、このようにすれば処理速度を向上させることができる。
【図面の簡単な説明】
【００５０】
【図１】第１の実施例を示す損券回収動作時のフローチャート
【図２】第１の実施例を示す損券回収動作時のフローチャート
【図３】第１の実施例を示す損券回収動作時のフローチャート
【図４】本発明による現金処理装置のブロック図
【図５】主要現金処理ユニットの内部構造を示す概略側面図
【図６】第１の実施例における旧紙幣回収動作時の紙幣の流れを示す説明図
【図７】旧紙幣回収画面の１例を示す図
【図８】第２の実施例を示す旧紙幣回収動作時のフローチャート
【図９】第２の実施例を示す旧紙幣回収動作時のフローチャート
【図１０】第２の実施例を示す旧紙幣回収動作時のフローチャート
【図１１】第２の実施例における旧紙幣回収動作時の紙幣の流れを示す説明図
【符号の説明】
【００５１】
１    紙幣入出金機
２    補充回収機
３    施封小束支払機
４    入力部
５    表示部
６    プリンタ
７    第１の記憶部
８    第２の記憶部
９    通信部
１０  制御部
１０ａ  現金在高カウンタ
１０ｂ  繰出枚数カウンタ
２１  入金口
２２  第１の鑑別部
２３  入金ＲＪ口
２４ａ〜２４ｄ  紙幣収納庫
２５ａ〜２５ｄ  一時集積部
２６  第２の鑑別部
２７  出金ＲＪ部
２８  出金口
２９  搬送路
３４  搬送路
４１  集積部
４２  搬送路
４３  施封部
４４  小束搬送路
４５  小束出金口
【図１】
2007087314.tif 000003
【図２】
2007087314.tif 000004
【図３】
2007087314.tif 000005
【図４】
2007087314.tif 000006
【図５】
2007087314.tif 000007
【図６】
2007087314.tif 000008
【図７】
2007087314.tif 000009
【図８】
2007087314.tif 000010
【図９】
2007087314.tif 000011
【図１０】
2007087314.tif 000012
【図１１】
2007087314.tif 000013